(57)【要約】【課題】液体吸収後、幅がユーザの使用状況に応じて適応変化する、下半身体液吸収用双芯体高吸収芯体を提供する。【解決手段】双芯体高吸収芯体は、上層の吸収層と下層の貯液層を含み、使用時の前後方向を前後方向として、吸収層の左右幅は貯液層の左右幅よりも大きく、吸収層の前後軸線の左右両側の位置にそれぞれ、前後方向の線状通孔または凹部を備え、線状通孔または線状凹部の前後端は吸収層の前後辺縁の内側に位置する。【選択図】図１
0003213029.tif 000002
【実用新案登録請求の範囲】
【請求項１】
下半身体液吸収用双芯体高吸収芯体であって、
上層の吸収層と下層の貯液層を含み、
前記双芯体高吸収芯体の使用時の前後方向を前後方向として、前記吸収層の左右幅は前記貯液層の左右幅よりも大きく、
前記吸収層の前後軸線の左右両側の位置にそれぞれ、前後方向の線状通孔または凹部を備え、
前記線状通孔または線状凹部の前後端は前記吸収層の前後辺縁の内側に位置することを特徴とする下半身体液吸収用双芯体高吸収芯体。
【請求項２】
請求項１に記載の下半身体液吸収用双芯体高吸収芯体であって、
前記線状通孔または線状凹部の中間部は直線であって前記吸収層の前後軸線に接近し、前記線状通孔または凹部の前後両端は直線またはカーブ曲線であって前記吸収層の前後軸線から遠ざかり、
または、
前記線状通孔または凹部の中間部は前記吸収層の前後軸線に接近し、かつ、前後両端は前記吸収層の前後軸線から遠ざかって、円弧を形成することを特徴とする下半身体液吸収用双芯体高吸収芯体。
【請求項３】
請求項１または２に記載の下半身体液吸収用双芯体高吸収芯体であって、
前記前記吸収層は高分子吸収顆粒層を混合したフラッフパルプであり、
前記貯液層は親水性材料と高分子吸収顆粒層を組み合わせてなる直線状の層であることを特徴とする下半身体液吸収用双芯体高吸収芯体。
【請求項４】
請求項１または２に記載の下半身体液吸収用双芯体高吸収芯体であって、
前記吸収層及び貯液層は、不織布で覆われていることを特徴とする下半身体液吸収用双芯体高吸収芯体。
【考案の詳細な説明】
【技術分野】
【０００１】
本考案は、下半身体液吸収用芯体に関し、特に、下半身体液吸収用双芯体高吸収芯体に関する。
【背景技術】
【０００２】
紙おむつや生理用ショーツ等の下半身体液吸収用製品の重要な構造の一つが芯体であり、体液を吸収し、一時的に保存するための芯体は、その性能の良し悪しが紙おむつや生理用ショーツ全体の製品品質を決定する。
【０００３】
使い捨て紙おむつのような、現在、市場で販売されている下半身体液吸収用製品の芯体は、一般に、以下の２つに分類される。１つ目は、包覆型または未包覆のフラッフパルプに高分子吸収顆粒を混合した構造であり、このタイプの構造は、薄くて快適な製品を作ることが要求されれば、必然的に、吸収芯体が液体を吸収した後、凝集または断裂の状況が生じる。
【０００４】
２つ目は、複合芯体または双芯体であり、二層または多層の、無塵紙、不織布等の吸水性の高強度材料に高分子吸収顆粒を組み合わせてなり、このタイプの芯体は製品全体の薄さと快適性を良好に保持し、吸収芯体の液体吸収後の凝集または断裂状況を解決するが、このタイプの芯体の幅は固定され、製品化後の股部の幅は比較的広く、液体吸収後、一部の吸収膨張が過大となり、着用後、ユーザに大きな不快感をもたらし、特に嬰児はＯ脚が形成されやすくなる。
【考案の概要】
【考案が解決しようとする課題】
【０００５】
本実用新案は、上述の課題を解決するため、液体吸収後、その幅がユーザの使用状況に応じて適応変化する、下半身体液吸収用双芯体高吸収芯体を提供することを目的とする。
【課題を解決するための手段】
【０００６】
本考案は、下半身体液吸収用双芯体高吸収芯体であって、上層の吸収層と下層の貯液層を含み、前記双芯体高吸収芯体の使用時の前後方向を前後方向とし、前記吸収層の左右幅は前記貯液層の左右幅より大きく、前記吸収層はその前後軸線の左右両側の位置にそれぞれ、前後方向の線状通孔または凹部を備え、前記線状通孔または凹部の前後端は、前記吸収層の前後辺縁の内側にある。
【０００７】
線状通孔または線状凹部を備えることにより、ユーザの活動時には吸収層の両側は適応可能なように上向きまたは下折れになり、これにより、芯体全体の左右幅が縮小して、体へのフィット感がさらに高まる。同時に、線状通孔または線状凹部はさらに排水機能を備え、いっそうスムーズに液体を貯液層に引き込み、液体が漏れるのを防ぐことができる。
【０００８】
好ましくは、前記線状通孔または凹部の中間部は直線であって前記吸収層の前後軸線に接近し、前記線状通孔または凹部の前後両端は直線またはカーブ曲線であって前記吸収層の前後軸線から遠ざかり、あるいは、前記線状通孔または凹部の中間部は前記吸収層の前後軸線に接近し、かつ、前後両端は前記吸収層の前後軸線から遠ざかって、円弧を形成する。
【０００９】
かかる形状の吸収層は、その両側が上向きまたは下折れになる過程において、人体の太腿の形状といっそう一致し、着用の快適性をさらに向上させる。
【００１０】
好ましくは、前記吸収層は高分子吸収顆粒層を混合したフラッフパルプであり、前記貯液層は親水性材料と高分子吸収顆粒層を組み合わせてなる直線状の層である。
【００１１】
貯液層は、無塵紙のような目の詰んだ薄片材料で高分子吸収顆粒を包んで作られる。吸収層は拡散と浸透作用を果たす。貯液層はむらのない吸収と保液作用を果たし、芯体表層をさらさらにして、着用をいっそう快適にし、おむつかぶれを防止する。貯液層の高い強度により、凝集または断裂状況を防止することができる。吸収層と貯液層の材料はいずれも既存技術の通常の材料であるが、かかる選択により、芯体全体は比較的薄く、吸収層は柔らかくて吸収に都合がよく、また、十分な支持強度を有するという目的を達成できる。
【００１２】
実用上の需要に基づき、前記吸収層と貯液層の外側は不織布で覆われる。
【考案の効果】
【００１３】
本実用新案の有益な効果は、以下のとおりである。
本考案は吸収層に２つの線状通孔または線状凹部を設け、貯液層の左右幅を吸収層の左右幅より小さく設計することにより、吸収層の左右両側に「浮遊」効果を形成させ、液体吸収面積を増加させるとともに、吸収層の左右幅をユーザの使用状況に応じて上向きまたは下折れに適応変化させることができ、芯体の上表面と左右辺縁をさらに体にフィットさせて装着快適性を著しく向上させ、幅が変化しない芯体が嬰児のO脚を形成させやすくするという問題を防止するとともに、液体がさらにスムーズに貯液層に引き込まれ、液体の漏れを防止する。
【図面の簡単な説明】
【００１４】
【図１】図１は、本実用新案の下半身体液吸収用双芯体高吸収芯体を上から見た構造を示す図である。
【図２】図２は、図１のA-A断面拡大図である。
【考案を実施するための形態】
【００１５】
以下では、図面とあわせて本実用新案について、さらに説明する。図１および図２に示すように、本実用新案の下半身体液吸収用双芯体高吸収芯体は、上層の吸収層３および下層の貯液層４、吸収層３と貯液層４の外側を覆う不織布１を含む。前記双芯体高吸収芯体の使用時の前後方向が前後方向（すなわち、図１における上下方向）であり、吸収層３の左右幅は貯液層４の左右幅より大きく、具体的な大きさはニーズに基づき定まるが、本実施例においては、貯液層４の左右幅は、吸収層３の２つの線状通孔２の間の左右幅よりも若干大きい。
【００１６】
吸収層３は、その前後軸線の左右両側の位置にそれぞれ前後方向の線状通孔２を備え、線状通孔２の前後端と吸収層３の前後の辺縁の間の距離はニーズに基づき定まるが、本実施例においては、線状通孔２の前後端と吸収層３の前後の辺縁の間の距離は線状通孔２の前後長の約３分の２である。線状通孔２の中間部は直線で吸収層３の前後軸線に接近し、線状通穴２の前後両端はカーブ（直線でもよい）であって、かつ吸収層３の前後軸線から遠ざかる。あるいは、線状通孔２の形状は、線状通孔２の中間部は吸収層３の前後軸線に接近し、かつ前後両端は吸収層３の前後軸線から遠ざかって円弧を形成するものでもよい。吸収層３は高分子吸収顆粒層を混合したフラッフパルプであり、貯液層４は低比重高強度の親水性材料と高分子吸収顆粒層を組み合わせてなる直線状の層である。
【００１７】
図１と図２をあわせると、使用時、一般に本実用新案にかかる双芯体高吸収芯体は熱融着により、パンツ体に張り合わせられ（張り合わせ幅は線状通孔２の左右幅よりもやや大きいか、等しい。）、紙おむつまたは生理用ショーツを形成する；両面テープによって、本双芯体高吸収芯体は一時的に女性用下着に貼り付ける生理用ナプキン用にもなる。この種の状況においては、実際の利用の便利のために、一般に、本双芯体高吸収芯体に羽を追加し、既存の生理用ナプキンの形状を形成することが必要である。
【００１８】
使用過程において、ユーザがしゃがむ、または、座る姿勢をとるときには、吸収層３は自然に伸展し、その左右幅が最大の状態となり、ユーザは快適性を感じる。ユーザが、両太腿が接近した起立状態または歩行状態のときには、線状通孔２により、吸収層３の両側はおのずと上向きまたは下折れになり、一方で芯体全体の左右幅を減少させ、他方で芯体の左右辺縁がさらに太腿にフィットして、快適性が向上する。ユーザが起立または歩行状態からしゃがむ、または座る姿勢となった場合には、吸収層３は、所定の弾性により平らな状態に回復し、同様に、ユーザの快適性を保証する。
【００１９】
上記実施例は、本実用新案の好ましい実施例にすぎず、本考案に対してなんらの制限にもならず、創造的労働を経ずに上述の実施例に基づき実現されるものでありさえすれば、すべて本実用新案の権利範囲に属するものとみなされるべきである。
【図１】
0003213029.tif 000003
【図２】
0003213029.tif 000004